(57)【要約】【課題】  画像形成装置において、複数ページの元原稿のすべてが揃っていないと複写ができないようにする。【解決手段】  元原稿の各ページに全ページ数が何枚で、その何ページ目にあたるかの情報を含む複写制限情報を印刷する。複写制限情報が載っている原稿を複写する際には、画像形成装置の画像解析部が複写制限情報を解析して、全ページの原稿が揃っていれば複写を許可し、全ページの原稿が揃っていなければ複写を許可しない制御を取ることにより解決した。【選択図】図３
2008111937.tif 000002
【特許請求の範囲】
【請求項１】
所定ページに複写制限情報が付加された複数ページの記録シートを読み取って前記複写制限情報を解析する複写制限情報読取解析部と、
前記複数ページの記録シートが全ページ揃っているかどうかを前記複写制限情報に基づいて判断し、前記全ページが揃っていない場合には複写を制限する判断制御部と、を有する
ことを特徴とする画像形成装置。
【請求項２】
請求項１の画像形成装置であって、
前記判断制御部は、前記全ページが揃っていない場合には複写を禁止する
ことを特徴とする画像形成装置。
【請求項３】
請求項１または２の画像形成装置であって、
前記複写制限情報は、少なくとも原稿ＩＤとページ番号の情報とである
ことを特徴とする画像形成装置。
【請求項４】
請求項１から３のいずれかの画像形成装置であって、
前記複写制限情報は、前記記録シートに印刷により記録されたものか、または前記記録シートに凹凸面を形成することにより記録されたものか、または前記記録シートに埋め込まれた半導体メモリやＲＦＩＤ（Radio  Frequency  IDentification）中に記録されたものである
ことを特徴とする画像形成装置。
【請求項５】
請求項１から４のいずれかの画像形成装置であって、
前記複写制限情報読取解析部は、前記記録シートに記録された複写制限情報と非複写制限情報とを分離し、
前記複写制限情報を生成する複写制限情報生成部と
前記複写制限情報生成部で新規に生成した複写制限情報と前記非複写制限情報とを合成して印刷データを生成する画像合成部と
前記印刷データを印刷する印刷部と、を有する
ことを特徴とする画像形成装置。
【請求項６】
複数ページの記録シートそれぞれに印刷するための複写制限情報を生成する複写制限情報生成部と、
前記複写制限情報生成部で生成した前記複写制限情報を記録シートへ付加する制限情報付加部と、を有する
ことを特徴とする画像形成装置。
【請求項７】
請求項６の画像形成装置であって、
前記複写制限情報は、前記記録シートに印刷により記録されたものか、または前記記録シートに凹凸面を形成することにより記録されたものか、または前記記録シートに埋め込まれた半導体メモリやＲＦＩＤ（Radio  Frequency  IDentification）中に記録されたものである
ことを特徴とする画像形成装置。
【発明の詳細な説明】
【技術分野】
【０００１】
複写機能を有する画像形成装置において、複写をする際に読取原稿のすべてのページが揃っていないと複写不可能とする画像形成装置に関する。
【背景技術】
【０００２】
複写機能を有する画像形成装置では、複写物による重要情報の漏洩や元原稿の改竄などによる原本の完全性の欠如などのセキュリティ問題がある。
【０００３】
そこでそれらの、複写物による情報の漏洩を防ぐ方法として、原稿面上に複写を禁止する特定パターンを形成して特定パターンが検出されたときには、複写機能を停止する方法がある（特許文献１参照）。
【０００４】
また、改竄の防止方法としては、原稿に識別のためのデジタルの付加情報を文字中などに濃淡ブロックなどで埋め込み、その付加情報中に改竄に関する情報を入れて原稿に改竄があるかどうかを判定する方法があった（特許文献２参照）。
【０００５】
しかし、上記のいずれの方法でも、複数のページからなる元原稿の一部のみを複写しようとすることを防ぐことはできない。
【０００６】
【特許文献１】特開昭５４−３２３２２号公報
【特許文献２】特開平６−２０１２２号公報
【発明の開示】
【発明が解決しようとする課題】
【０００７】
解決しようとする問題点は、複写機能を有する画像形成装置において複数ページの元原稿を複写する際に、元原稿の全てのページが揃っていない場合には、複写を禁止することができなかった点である。
【課題を解決するための手段】
【０００８】
本発明の画像形成装置は、所定ページに複写制限情報が付加された複数ページの記録シートを読み取って前記複写制限情報を解析する複写制限情報読取解析部と、前記複数ページの記録シートが全ページ揃っているかどうかを前記複写制限情報に基づいて判断し、前記全ページが揃っていない場合には複写を制限する判断制御部とを有することを最も主要な特徴とする。
【０００９】
また、本発明の画像形成装置は、複数ページの記録シートそれぞれに印刷するための複写制限情報を生成する複写制限情報生成部と、前記複写制限情報生成部で生成した前記複写制限情報を記録シートへ付加する制限情報付加部とを有することを主要な特徴とする。
【発明の効果】
【００１０】
本発明の画像形成装置は、所定ページに複写制限情報が付加された複数ページの記録シートを読み取って前記複写制限情報を解析する複写制限情報読取解析部と、前記複数ページの記録シートが全ページ揃っているかどうかを前記複写制限情報に基づいて判断し、前記全ページが揃っていない場合には複写を制限する判断制御部とを有することを最も主要な特徴とするため、元記録シートの全てのページが揃っていない場合には、複写を禁止することが可能となった。
【００１１】
また、本発明の画像形成装置は、複数ページの記録シートそれぞれに印刷するための複写制限情報を生成する複写制限情報生成部と、前記複写制限情報生成部で生成した前記複写制限情報を記録シートへ付加する制限情報付加部とを有することを主要な特徴とするため、元記録シートの全てのページが揃っていない場合には、複写を禁止することが可能となった。
【発明を実施するための最良の形態】
【００１２】
複写機能を有する画像形成装置において、複数ページの原稿の全てがそろわない場合は複写出来ないようにするため、読み取り原稿に複写制限情報を付加し、画像形成装置に前記複写制限情報を読み取って解析する複写制限情報読取解析部と前記複数ページの原稿が全ページ揃っているかどうかを判断し、全頁が揃っていない場合には複写を行わない制御をする判断制御部とを設けることにより実現した。
【実施例１】
【００１３】
［構成］
図１は、本発明の実施例に係わる画像形成装置の機能ブロック構成図である。
【００１４】
画像形成装置１０１は、スキャナ部１１１（複写制限情報読取解析部）、画像解析部１１３（複写制限情報読取解析部）、印刷部１１５、判断制御部１１７、複写制限情報生成部１１９、画像合成部１２１からなる。
【００１５】
スキャナ部１１１（複写制限情報読取解析部）は、原稿（記録シート）を読み取る。
【００１６】
画像解析部１１３（複写制限情報読取解析部）は、読み取った原稿の画像を解析して、複写制限情報を抽出する。
【００１７】
印刷部１１５（制限情報付加部）は、印刷を行う。印刷を行う際には、スキャナ部１１１で読み取った画像データをそのまま印刷する場合と読み取った画像から複写制限情報部分を取り除き、新しく複写制限情報生成部１１９で生成した新規の複写制限情報を画像合成部で非複写制限情報と合成して印刷する場合とがある。
【００１８】
判断制御部１１７は、画像解析部１１３が抽出した複写制限情報を元に全てのページが揃っているかどうかを判断する。
【００１９】
複写制限情報生成部１１９は、原稿ＩＤ、全ページ数、何ページ目であるかの情報をバーコードや二次元バーコードなどの画像情報や文字情報などに変換し、印刷データとしてビットマップデータに変換する。
【００２０】
複写制限情報は、例えば原稿の周縁部に配置するかたちであってもよいし、例えば画面中央部などの所定の箇所に配置する形であっても良い。
【００２１】
また、複写制限情報がバーコードや二次元バーコードや文字情報ではなく、地紋印刷を用いて原稿の全体に印刷される形であっても良い。
【００２２】
複写制限情報の印刷には、通常の黒トナーや黒インクを用いても良いし、薄い黄色などの肉眼では確認しにくい色での印刷を行っても良い。
【００２３】
また、肉眼では不可視であるが、例えば赤外線や紫外線などでは認識可能となるトナーやインクを用いて印刷を行っても良い。
【００２４】
画像合成部１２１（制限情報付加部）は、スキャナ部１１１で読み取った原稿画像と、複写制限情報生成部１１９で生成した複写制限情報のビットマップデータを合成して、印刷データを生成する。
【００２５】
［フローチャート］
次に、図２のフローチャートを用いて、複写制限情報の載っていない原稿に複写制限情報を印刷する過程について説明する。
【００２６】
Ｓ１１：複写制限情報を設定する。複写制限情報としては、以下の要素が必要である。
【００２７】
（１）原稿ＩＤ：複数ページの原稿のセットを他の原稿と区別するための識別子である。これにより複数のページが同一文書であることが確認できる。原稿ＩＤは、画像形成装置の装置ＩＤと印刷時間を組み合わせたものを自動で生成する方法をとる。
【００２８】
（２）全ページ数：原稿が何ページから構成されているかの情報。スキャナでスキャンした結果より全ページ数を求める。
【００２９】
（３）ページ番号：原稿が何ページ目であるかを示す情報。スキャナでスキャンした順番にページ番号をとる。
【００３０】
上記情報の他に原稿名やユーザ名などの情報や何度までの複写を許可するかなどの複写制限回数やどのユーザに複写を許すかなどの複写許可ユーザ情報を入力しても良い。
【００３１】
上記の複写制限情報は、全てのページに付加せずとも例えば文書の所定のページにのみ割り当てても良い。
【００３２】
Ｓ１３：画像形成装置１０１の複写制限情報生成部１１９で前ステップで設定した複写制限情報を画像情報に変換し、印刷部１１５で元原稿上に複写制限情報を印刷する。
【００３３】
次に、図３のフローチャートを用いて、原稿を複写する際の動作について説明する。
【００３４】
Ｓ２１：原稿をスキャナ部１１１で読み込み、画像解析部１１３で複写制限情報があるかどうか、あればその内容を解析する。
【００３５】
Ｓ２３：複写制限情報を検知したかどうかを判断する。複写制限情報があった場合には、動作をＳ２７に移行する。無かった場合は、複写制限なしの通常の複写として動作をＳ２５に移行する。
【００３６】
Ｓ２５：Ｓ２１で読み取った原稿を印刷部１１５で印刷を行う。
【００３７】
Ｓ２７：Ｓ２１で解析された複写制限情報より、その原稿ＩＤと全ページ数とページ番号を抽出して全てのページが揃っているかどうかを判断する。全ページ揃っていた場合には、動作をＳ２５に移行してＳ２５において原稿を印刷する。この場合、複写制限情報も再度印刷される。
【００３８】
全ページ揃っていない場合は、動作をＳ２９に移行する。
【００３９】
Ｓ２９：判断制御部１１７で印刷が不可能であると設定され、またユーザに表示パネル等より印刷できない旨知らせる。
【００４０】
以上の一連の動作により、複写動作を終了する。
【００４１】
次に、元原稿に載っている複写制限情報をそのまま画像データとして複写するのではなく、複写制限情報と非複写制限情報を分離して、新しく生成した複写制限情報の画像データと非複写制限情報の画像データを合成して印刷する方法について、図４のフローチャートを用いて説明する。
【００４２】
Ｓ３１：原稿をスキャナ部１１１で読み込み、画像解析部１１３で複写制限情報があるかどうかを解析し、あればスキャンした画像データを複写制限情報と非複写制限情報の画像データに分離する。また、複写制限情報を解析し、データを抽出する。
【００４３】
Ｓ３３：複写制限情報を検知したかどうかを判断する。複写制限情報があった場合には、動作をＳ４１に移行する。無かった場合は、動作をＳ３５に移行する。
【００４４】
Ｓ３５：複写制限情報を付加するかどうかを判断する。元原稿に複写制限情報の無い原稿に対して、新しく複写制限情報を付加するようにあらかじめ設定してある場合には、複写制限情報を付加すると判断する。
【００４５】
元原稿に複写制限情報が載っていた場合にも複写制限情報を付加すると判断する。
【００４６】
付加する場合は、Ｓ３７に動作を移行する。付加しない場合には動作をＳ３９に移行する。
【００４７】
Ｓ３７：複写制限情報を生成する。元原稿に複写制限情報が載っていた場合には、抽出したデータを基に新しく画像データを生成する。その際に複写世代情報を更新することにより何回目の複写であるかを記録しても良い。また、複写日時を新しく更新することも可能である。
【００４８】
そして、生成した新規の複写制限情報の画像データとＳ３１において分離した非複写制限情報の画像データを合成する。
【００４９】
Ｓ３９：Ｓ３７で生成した画像データないしは、Ｓ３１で読み取った原稿の画像データを印刷部１１５により印刷する。
【００５０】
Ｓ４１：Ｓ３１で解析された複写制限情報より、その原稿ＩＤと全ページ数とページ番号を抽出して全てのページが揃っているかどうかを判断する。全ページ揃っていた場合には、動作をＳ３５に移行する。
【００５１】
全ページ揃っていない場合は、動作をＳ４３に移行する。
【００５２】
Ｓ４３：判断制御部１１７で印刷が不可能であると設定され、またユーザに表示パネル等より印刷できない旨知らせる。
【００５３】
以上の一連の動作により、複写動作を終了する。
【００５４】
［実施例の効果］
本発明実施例の画像形成装置により、元原稿の全ページ数が揃っていない場合は、複写を禁止することが可能となった。
【００５５】
このことにより、重要文書として配布された印刷物は全てのページが揃っていないと複写できないため、一部が抜き取られて意図しないところで複写される可能性が無くなり、セキュリティが向上した。
【００５６】
また、元原稿が全ページ揃っているかどうかを確認することが可能となった。
【００５７】
図４で示した、スキャナで読み込んだ画像データを複写制限情報と非複写制限情報に一旦分離して、複写制限情報の画像データについては、再度画像を生成して非複写制限情報の画像データと合成する方法により、複数回の複写による画像劣化のために複写制限情報を読み取りが不可となることを抑制することが可能となった。
【００５８】
また、同方法により複写制限情報の内容を更新して、例えば複写世代情報を残すことにより複写回数制限を行うことや、複写履歴や新規に複写された日時などの情報を残すことが可能となった。
【００５９】
［その他］
本実施例では、複写制限情報を画像形成装置によって、元原稿に印刷する形をとったが、元原稿をＰＣ（Personal  Computer）上で生成して、プリンタドライバを用いて印刷データを生成する際に、複写制限情報を含める形としても良い。
【００６０】
本実施例では、複写制限情報は、印刷されたバーコードや二次元バーコードや文字情報や地紋印刷の形としたが、他の方法、例えば原稿面に凹凸面を形成することにより記録する方法であっても良いし、原稿中に埋め込まれた半導体メモリやＲＦＩＤ（Radio  Frequency  IDentification）中に記録を行う方法を取ってもよい。
【図面の簡単な説明】
【００６１】
【図１】画像形成装置の機能ブロック図である（実施例１）。
【図２】画像形成装置の複写制限情報の印刷のフローチャートである（実施例１）。
【図３】画像形成装置の原稿読取から複写にいたる動作のフローチャートである（実施例１）。
【図４】画像形成装置の原稿読取から複写にいたる動作において、複写制限情報の画像データを一旦分離して複写制限情報を更新する場合のフローチャートである（実施例１）。
【符号の説明】
【００６２】
１０１  画像形成装置
１１１  スキャナ部（複写制限情報読取解析部）
１１３  画像解析部（複写制限情報読取解析部）
１１５  印刷部（制限情報付加部）
１１７  判断制御部
１１９  複写制限情報生成部
１２１  画像合成部（制限情報付加部）
【図１】
2008111937.tif 000003
【図２】
2008111937.tif 000004
【図３】
2008111937.tif 000005
【図４】
2008111937.tif 000006